(57)【特許請求の範囲】
【請求項１】
複数のＬＥＤモジュールと、
前記ＬＥＤモジュールが取り付けられた基板と、
前記ＬＥＤモジュールの近傍に配置され、温度を検出する温度検知ユニットと、
前記温度検知ユニットで検知された温度に基づいて、前記ＬＥＤモジュールを制御する制御部と、
前記ＬＥＤモジュールの発光面側に設けられ、前記ＬＥＤモジュールが発光する光を透過する透光板と、
無線送受信回路を備え、
少なくとも、前記ＬＥＤモジュールと前記透光板との間には、放熱材料が形成されており、
前記制御部は、
（１）前記温度検知ユニットが、前記温度が第１の所定の温度以下になったことを検知すると、消灯していた前記ＬＥＤモジュールのうち少なくとも１つの前記ＬＥＤモジュールが点灯され、または、減光されて点灯していた前記ＬＥＤモジュールのうち少なくとも１つの前記ＬＥＤモジュールがより明るく点灯されて、前記ＬＥＤモジュールの温度が上昇する、ように制御し、
（２）前記無線送受信回路によって、所定時間内に降雪が予想される情報を受信すると、消灯していた前記ＬＥＤモジュールのうち少なくとも１つの前記ＬＥＤモジュールが点灯され、または、減光されて点灯していた前記ＬＥＤモジュールのうち少なくとも１つの前記ＬＥＤモジュールがより明るく点灯されて、前記ＬＥＤモジュールの温度が上昇する、ように制御する、ＬＥＤ照明装置。
【請求項２】
前記温度検知ユニットおよび前記制御部は、バイメタルと前記ＬＥＤモジュールのスイッチとで構成されている、請求項１に記載のＬＥＤ照明装置。
【請求項３】
前記制御部は、前記温度検知ユニットが、前記温度が第２の所定の温度以上になったことを検知すると、点灯していた前記ＬＥＤモジュールのうち、少なくとも１つの前記ＬＥＤモジュールが消灯され、または少なくとも１つの前記ＬＥＤモジュールがより暗く点灯されて、前記ＬＥＤモジュールの温度が下がる、ように制御する、請求項１又は２に記載のＬＥＤ照明装置。
【発明の詳細な説明】
【技術分野】
【０００１】
本発明は、融雪機能付きＬＥＤ照明装置に関する。例えば、屋外や屋内を照明するＬＥＤ照明装置に関する。
【背景技術】
【０００２】
近年、ＬＥＤ（Light Emitting Diode）の性能が高くなってきており、ＬＥＤを用いた照明器具は寿命が長いなどの理由で従来の光源から置き換えられる状態にある。
【０００３】
最近では、屋内用の照明装置のみならず、道路、公園等の主に屋外で街路灯、防犯灯、庭園灯、及び投光器等として使用される照明装置としてもＬＥＤが採用されるようになってきた。
【０００４】
屋外で使用される照明装置は、道路の歩道側に設置された支柱等の高所に取付けられ、従来は、蛍光ランプやＨＩＤランプを光源として路面を照明することが一般的であった。しかし、近年、省エネルギー化や省メンテナンス等の観点から、屋外照明装置としてもＬＥＤが利用されるようになってきている。
【０００５】
このようなＬＥＤ照明装置を降雪地域等の屋外に設置する場合には、発光面側への積雪により十分な光量で周囲を照明できなくなるという問題がある。発光面側に付着した雪は、装置自身の発熱によっても融雪するが、迅速な融雪が要求されている。
【０００６】
このため、降雪地域等の屋外に設置されるＬＥＤ照明装置には、融雪用ヒーターが備えられている。融雪用ヒーターを備えたＬＥＤ表示装置として、図１２（ａ）〜図１２（ｃ）に示す装置が、特許文献１に開示されている。
【０００７】
図１２（ａ）は、特許文献１に開示されている従来のＬＥＤ表示装置の外観斜視図を、図１２（ｂ）は、このＬＥＤ表示装置の一部を切り欠いた側面図を、図１２（ｃ）は、図１２（ｂ）に示す領域Ｘの部分の拡大図を、それぞれ示している。
【０００８】
図１２（ａ）〜図１２（ｃ）に示すＬＥＤ表示装置１００において、複数個のＬＥＤランプ１０２と基板１０３とがケース１０１に収納されている。ＬＥＤランプ１０２は、基板１０３に対しマトリクス状に配置されている。
【０００９】
また、表示装置であるため、複数個のＬＥＤランプ１０２に対し、ルーバー１０５が設けられ、太陽光がＬＥＤランプ１０２へ入射することによる視認性の悪化を防ぐようになっている。ルーバー１０５は、マトリクス状に配列されたＬＥＤランプ１０２の水平方向の各段毎に、庇状の遮光板１０５ａを有している。この遮光板１０５ａは、ＬＥＤ表示装置１００の表示面側に設けられている。
【００１０】
なお、図示しないが、基板１０３には駆動回路も実装されている。この駆動回路部に雨水が浸入しないように、ケース１０１とＬＥＤランプ１０２との間の空間には樹脂等が充填されている。
【００１１】
さらに、ＬＥＤ表示装置１００は、表示面またはルーバー１０５に付着した雪を融かすためのヒーター１０４を備えている。ヒーター１０４は、ケース１０１とＬＥＤランプ１０２との間の空間に、防水のために充填される樹脂を用いて固定されている。
【００１２】
このように、ＬＥＤ表示装置１００内に設置したヒーター１０４が発する熱を、装置内の部材を介してＬＥＤ表示装置１００の表示面側に伝導させ、表示面側に付着した雪を融かすように構成されている。
【先行技術文献】
【特許文献】
【００１３】
【特許文献１】特開平１１−３３８３８７号公報
【発明の概要】
【発明が解決しようとする課題】
【００１４】
しかしながら、上記した従来のＬＥＤ表示装置では、表示面側に付着した雪を融かすためにヒーターを設ける必要があるため、装置構造が複雑になるとともにコストが増大してしまう。
【００１５】
上記した従来のＬＥＤ表示装置１００では、本来の表示機構を発揮するＬＥＤランプ１０２に加えて、ヒーター１０４およびヒーター１０４を駆動制御するための駆動回路を基板１０３に実装しなければならず、装置全体のコストが増大する。
【００１６】
さらに、ヒーター１０４をＬＥＤ表示装置１００内に組み込む構成とし、また、駆動回路部に雨水が浸入しないような構成としなければならず、装置構造が複雑になる。
【００１７】
本発明は、上記従来の課題を考慮して、従来よりも簡単で安価な構造で発光面側に付着した氷雪を迅速に融かすことができる、融雪機能付きＬＥＤ照明装置を提供することを目的とする。
【課題を解決するための手段】
【００１８】
上述した課題を解決するために、第１の本発明は、
複数のＬＥＤモジュールと、
前記ＬＥＤモジュールが取り付けられた基板と、
前記ＬＥＤモジュールの近傍に配置され、温度を検出する温度検知ユニットと、
前記温度検知ユニットで検知された温度に基づいて、前記ＬＥＤモジュールを制御する制御部と、
前記ＬＥＤモジュールの発光面側に設けられ、前記ＬＥＤモジュールが発光する光を透過する透光板と、
無線送受信回路を備え、
少なくとも、前記ＬＥＤモジュールと前記透光板との間には、放熱材料が形成されており、
前記制御部は、
（１）前記温度検知ユニットが、前記温度が第１の所定の温度以下になったことを検知すると、消灯していた前記ＬＥＤモジュールのうち少なくとも１つの前記ＬＥＤモジュールが点灯され、または、減光されて点灯していた前記ＬＥＤモジュールのうち少なくとも１つの前記ＬＥＤモジュールがより明るく点灯されて、前記ＬＥＤモジュールの温度が上昇する、ように制御し、
（２）前記無線送受信回路によって、所定時間内に降雪が予想される情報を受信すると、消灯していた前記ＬＥＤモジュールのうち少なくとも１つの前記ＬＥＤモジュールが点灯され、または、減光されて点灯していた前記ＬＥＤモジュールのうち少なくとも１つの前記ＬＥＤモジュールがより明るく点灯されて、前記ＬＥＤモジュールの温度が上昇する、ように制御する、ＬＥＤ照明装置である。
【００１９】
また、第２の本発明は、
前記温度検知ユニットおよび前記制御部は、バイメタルと前記ＬＥＤモジュールのスイッチとで構成されている、第１の本発明のＬＥＤ照明装置である。
【００２０】
また、第３の本発明は、
前記制御部は、前記温度検知ユニットが、前記温度が第２の所定の温度以上になったことを検知すると、点灯していた前記ＬＥＤモジュールのうち、少なくとも１つの前記ＬＥＤモジュールが消灯され、または少なくとも１つの前記ＬＥＤモジュールがより暗く点灯されて、前記ＬＥＤモジュールの温度が下がる、ように制御する、第１又は第２の本発明のＬＥＤ照明装置である。
【００２１】
また、本発明に関連する第１発明は、
複数のＬＥＤモジュールと、
前記ＬＥＤモジュールが取り付けられた基板と、
前記ＬＥＤモジュールの近傍に配置され、温度を検出する温度検知ユニットと、
前記温度検知ユニットで検知された温度に基づいて、前記ＬＥＤモジュールを制御する制御部と、
前記ＬＥＤモジュールの発光面側に設けられ、前記ＬＥＤモジュールが発光する光を透過する透光板とを備え、
少なくとも、前記ＬＥＤモジュールと前記透光板との間には、放熱材料が形成されており、
前記制御部は、
前記温度検知ユニットが、前記温度が第１の所定の温度以下になったことを検知すると、消灯していた前記ＬＥＤモジュールのうち少なくとも１つの前記ＬＥＤモジュールが点灯され、または、減光されて点灯していた前記ＬＥＤモジュールのうち少なくとも１つの前記ＬＥＤモジュールがより明るく点灯されて、前記ＬＥＤモジュールの温度が上昇する、ように制御する機能と、予め決められたスケジュールにより前記ＬＥＤモジュールの消灯・減光制御を行う機能とを有しており、前記スケジュールよりも優先して、前記温度が第１の所定の温度以下になったことを検知したときの制御を行わせる、ことを特徴とするＬＥＤ照明装置である。
【００２２】
また、本発明に関連する第２発明は、
複数のＬＥＤモジュールと、
前記ＬＥＤモジュールが取り付けられた基板と、
前記ＬＥＤモジュールの近傍に配置され、温度を検出する温度検知ユニットと、
前記温度検知ユニットで検知された温度に基づいて、前記ＬＥＤモジュールを制御する制御部と、
前記ＬＥＤモジュールの発光面側に設けられ、前記ＬＥＤモジュールが発光する光を透過する透光板とを備え、
少なくとも、前記ＬＥＤモジュールと前記透光板との間には、放熱材料が形成されており、
前記制御部は、
（１）前記温度検知ユニットが、前記温度が第１の所定の温度以下になったことを検知すると、消灯していた前記ＬＥＤモジュールのうち少なくとも１つの前記ＬＥＤモジュールが点灯され、または、減光されて点灯していた前記ＬＥＤモジュールのうち少なくとも１つの前記ＬＥＤモジュールがより明るく点灯されて、前記ＬＥＤモジュールの温度が上昇する、ように制御し、
（２）前記複数のＬＥＤモジュールの内、１つ以上で全部未満のＬＥＤモジュールを点灯させる際、時系列的に対象となる前記ＬＥＤモジュールを交替させる、ＬＥＤ照明装置である。
【発明の効果】
【００２３】
本発明により、従来よりも簡単で安価な構造で発光面側に付着した氷雪を迅速に融かすことができる、融雪機能付きＬＥＤ照明装置を提供できる。
【図面の簡単な説明】
【００２４】
【図１】本発明に関連する発明の実施の形態１のＬＥＤ照明装置の接続構成図
【図２】（ａ）本発明に関連する発明の実施の形態１のＬＥＤ照明装置の斜視図、（ｂ）本発明に関連する発明の実施の形態１のＬＥＤ照明装置の上から見た図、（ｃ）本発明に関連する発明の実施の形態１のＬＥＤ照明装置の下から見た図
【図３】（ａ）本発明に関連する発明の実施の形態１のＬＥＤ照明装置のフィン部の正面図、（ｂ）本発明に関連する発明の実施の形態１のＬＥＤ照明装置のフィン部の底面図
【図４】（ａ）本発明に関連する発明の実施の形態１のＬＥＤ照明装置の、ＬＥＤ光源ユニットを取り付けたフィン部の正面図、（ｂ）本発明に関連する発明の実施の形態１のＬＥＤ照明装置の、ＬＥＤ光源ユニットを取り付けたフィン部の底面図
【図５】本発明に関連する発明の実施の形態１のＬＥＤ照明装置の、高温時における温度制御動作を説明する図
【図６】本発明に関連する発明の実施の形態１のＬＥＤ照明装置の、低温時における温度制御動作を説明する図
【図７】（ａ）本発明に関連する発明の実施の形態１の、他の構成のＬＥＤ照明装置の斜視図、（ｂ）本発明に関連する発明の実施の形態１の、他の構成のＬＥＤ照明装置の設置状態において下から見た図
【図８】本発明に関連する発明の実施の形態１の、他の構成のＬＥＤ照明装置の、正面図、底面図および側面図
【図９】本発明の実施の形態２のＬＥＤ照明装置の断面図
【図１０】（ａ）本発明の実施の形態２のＬＥＤ照明装置の、ヒートシンク側から見た斜視図、（ｂ）従来の構成のヒートシンクを備えたＬＥＤ照明装置の斜視図
【図１１】本発明の実施の形態２のＬＥＤ照明装置の接続構成図
【図１２】（ａ）従来のＬＥＤ表示装置の外観斜視図、（ｂ）従来のＬＥＤ表示装置の一部を切り欠いた側面図、（ｃ）従来のＬＥＤ表示装置の領域Ｘの拡大図
【発明を実施するための形態】
【００２５】
以下、本発明および本発明に関連する発明の実施の形態について、図面を参照しながら説明する。
【００２６】
（実施の形態１）
まず、実施の形態１において、本発明に関連する発明の実施の形態について説明する。
【００２７】
図１に、本発明に関連する発明の実施の形態１のＬＥＤ照明装置の接続構成図を示す。
【００２８】
また、図２（ａ）に、実施の形態１のＬＥＤ照明装置の斜視図を、図２（ｂ）に、実施の形態１のＬＥＤ照明装置の上から見た図を、図２（ｃ）に、実施の形態１のＬＥＤ照明装置の下から見た図を、それぞれ示す。
【００２９】
図２（ａ）〜図２（ｃ）に示す実施の形態１のＬＥＤ照明装置は、天井から吊り下げるペンダント型の照明装置である。
【００３０】
実施の形態１のＬＥＤ照明装置は、６つのＬＥＤモジュール１１〜１６を備えている。６つのＬＥＤモジュール１１〜１６は同一の構成であり、それぞれ複数のＬＥＤ素子がＣＯＢ実装された、ＡＣ電源駆動型のＬＥＤモジュールである。
【００３１】
ＬＥＤスイッチ２０のオンオフ制御により、ＬＥＤモジュール１１〜１６毎に、ＡＣ電流の供給が制御される。
【００３２】
各ＬＥＤモジュール１１〜１６には、ヒートシンクが装着されている。
【００３３】
図３（ａ）に、各ＬＥＤモジュール１１〜１６に装着されるヒートシンクのフィン部の正面図を示し、図３（ｂ）に底面図を示す。
【００３４】
また、図４（ａ）に、ＬＥＤ光源ユニットを装着した状態のフィン部の正面図を示し、図４（ｂ）に、そのときのフィン部の底面図を示す。
【００３５】
ヒートシンクを構成するフィン部２５は、アルミニウム製で、図３（ａ）および図３（ｂ）に示すように、複数のフィンが放射状に形成されており、円柱状の外形形状を有している。フィン部２５は、例えば、直径が１００ｍｍ、高さが８０ｍｍの円柱形状を有している。
【００３６】
フィン部２５の、ＬＥＤ光源ユニットが装着される底面側には、銅製の放熱板２６が接着されており、フィン部２５と一体構造となっている。
【００３７】
図４（ａ）に示すように、ＬＥＤモジュール基板２７上に各ＬＥＤモジュール１１〜１６が装着されて、実施の形態１のＬＥＤ光源ユニットを構成している。ＬＥＤモジュール基板２７は、アルミニウム製または銅製である。
【００３８】
なお、ＬＥＤモジュール基板２７が、本発明の、ＬＥＤモジュールが取り付けられた基板の一例にあたる。
【００３９】
ＬＥＤ光源ユニットは、放熱板２６が装着されたフィン部２５の底面側に、放熱ジェルを用いて接着されるとともに、ＬＥＤ光源ユニット固定穴２９にネジ止めして固定される。
【００４０】
そして、それぞれヒートシンクが装着された６つのＬＥＤ光源ユニットが、図２（ａ）〜図２（ｃ）に示すように、セード２３に取り付けられている。
【００４１】
各ＬＥＤ光源ユニットの部分のみがセード２３の下側に露出し、フィン部２５の部分がセード２３の上側に露出するように取り付けられる。また、６つの光源ユニットは、図２（ｃ）に示すように、ＬＥＤ照明装置の下側から見て、ＬＥＤモジュール１１〜１６が正六角形の頂点の位置になるように、均等に配置されている。
【００４２】
六角形状に配置されたＬＥＤモジュール１１〜１６の中心の位置に端子台２２が設けられ、端子台２２とＬＥＤモジュール１１〜１６がそれぞれ配線２８で接続されている。
【００４３】
端子台２２は、図１に示すＬＥＤスイッチ２０とバイメタル・サーモスタット２１を備えている。ＬＥＤスイッチ２０およびバイメタル・サーモスタット２１による制御により、配線２８を介して各ＬＥＤモジュール１１〜１６へのＡＣ電流の供給が制御される。
【００４４】
なお、バイメタル・サーモスタット２１が、本発明の温度検知ユニットの一例にあたり、ＬＥＤスイッチ２０が、本発明の制御部の一例にあたる。
【００４５】
なお、図２（ｃ）には図示していないが、端子台２２の上から端子カバーが装着され、その端子カバーによって、各ＬＥＤモジュール１１〜１６に接続している配線２８の部分が覆われて見えなくなる構成となっている。
【００４６】
また、図２（ａ）には図示していないが、端子台２２に接続するＡＣ電源のケーブルが、フック２４とともに、セード２３の上方へ伸びている。なお、フック２４の内部にＡＣケーブルが内挿される構成としてもよい。
【００４７】
次に、実施の形態１のＬＥＤ照明装置における温度制御方法について説明する。
【００４８】
ＬＥＤは、ジャンクション温度に近い高温になると、劣化し破壊してしまうため、ジャンクション温度に達しないように温度制御する必要がある。
【００４９】
図５に、実施の形態１のＬＥＤ照明装置の、高温時における温度制御動作を説明する図を示す。
【００５０】
実施の形態１のＬＥＤ照明装置では、約９０℃のジャンクション温度に対する温度制御について説明する。
【００５１】
図５に示す、温度と時間の関係を示すグラフは、高温時における温度制御をした際の、バイメタル・サーモスタット２１部分の温度の時間的変化を示している。
【００５２】
また、図５には、時間的変化に対応する、ＬＥＤスイッチ２０の状態と、ＬＥＤモジュール１１〜１６への通電状態を示している。
【００５３】
ここで使用するバイメタル・サーモスタット２１は、温度が上昇して７５℃に達したとき、および温度が下降して６５℃に達したときに作動するバイメタルである。
【００５４】
ＬＥＤスイッチ２０は、通常はオン状態であり、各ＬＥＤモジュール１１〜１６へＡＣ電源が供給される状態となっており、全てのＬＥＤモジュール１１〜１６が発光している。
【００５５】
ＬＥＤモジュール１１〜１６の周囲の温度が上昇し、７５℃を超えるときにバイメタル・サーモスタット２１が作動して、ＬＥＤスイッチ２０は、オフ状態に切り換わる。
【００５６】
なお、この場合の７５℃という温度が、本発明の第２の所定の温度の一例にあたる。
【００５７】
このときのＬＥＤスイッチ２０の切り換わり状態に応じて、ＬＥＤモジュール１１、１３および１５への通電状態が切り換わるように、ＬＥＤスイッチ２０が各ＬＥＤモジュール１１〜１６に接続されており、ＬＥＤスイッチ２０がオフ状態に切り換わると、ＬＥＤモジュール１１、１３および１５が消灯する。
【００５８】
一方、このときのＬＥＤスイッチ２０の切り換わりでは、ＬＥＤモジュール１２、１４および１６への通電状態は切り換わらないように、ＬＥＤスイッチ２０が各ＬＥＤモジュール１１〜１６に接続されており、ＬＥＤスイッチ２０がオフ状態に切り換わっても、ＬＥＤモジュール１２、１４および１６は発光したままの状態である。
【００５９】
ＬＥＤモジュール１１、１３および１５が消灯すると、ＬＥＤモジュール１１、１３および１５による発熱が無くなるので、図５に示すように、バイメタル・サーモスタット２１部分の温度は下降していく。
【００６０】
その後、ＬＥＤモジュール１１〜１６の周囲の温度が下降していき、６５℃まで下降したときにバイメタル・サーモスタット２１が作動して、ＬＥＤスイッチ２０がオン状態に戻る。
【００６１】
ＬＥＤスイッチ２０がオン状態に戻ると、ＬＥＤモジュール１１、１３および１５へＡＣ電流が供給されるようになり、消灯していたＬＥＤモジュール１１、１３および１５が発光し、全てのＬＥＤモジュール１１〜１６が発光している状態に戻る。
【００６２】
従来のＬＥＤ照明装置では、温度が上昇して７５℃に達すると保護回路が作動しシャットダウンしてしまうが、実施の形態１のＬＥＤ照明装置では、上記のように、ＬＥＤモジュール１１〜１６の周囲の温度が上昇してジャンクション温度に近づいた場合でも、消灯することなく、温度制御がなされる。
【００６３】
次に、実施の形態１のＬＥＤ照明装置の、低温時における温度制御動作について説明する。
【００６４】
ＬＥＤ照明装置が、降雪地域等の屋外に設置される場合、温度が低くなると、ＬＥＤの発光面側に雪や氷が付着して周囲を照明する光量が低下してしまい、照明としての機能を十分に発揮できなくなってしまう。
【００６５】
実施の形態１のＬＥＤ照明装置では、各ＬＥＤモジュール１１〜１６の発光を制御して、各ＬＥＤモジュール１１〜１６の温度が氷結する温度（０℃）まで低下しないようにして、発光面側における雪や氷の付着を防止する。
【００６６】
図６に、実施の形態１のＬＥＤ照明装置の、低温時における温度制御動作を説明する図を示す。
【００６７】
図６に示す、温度と時間の関係を示すグラフは、低温時における温度制御をした際の、バイメタル・サーモスタット２１部分の温度の時間的変化を示している。
【００６８】
また、図６には、時間的変化に対応する、ＬＥＤスイッチ２０の状態と、ＬＥＤモジュール１１〜１６への通電状態を示している。
【００６９】
ここで使用するバイメタル・サーモスタット２１は、温度が下降して１℃に達したとき、および温度が上昇して５℃に達したときに作動するバイメタルである。
【００７０】
ＬＥＤモジュール１２、１３、１５および１６は、ＬＥＤスイッチ２０のオンオフに応じて、ＡＣ電流の供給が制御されるように接続されている。一方、ＬＥＤモジュール１１および１４は、ＬＥＤスイッチ２０のオンオフ状態に関係なく、ＡＣ電流が供給されるように構成されている。
【００７１】
ＬＥＤスイッチ２０は、通常はオフ状態であり、ＬＥＤモジュール１２、１３、１５および１６へＡＣ電流が供給されない状態となっており、ＬＥＤモジュール１２、１３、１５および１６は消灯している。一方、ＬＥＤモジュール１１および１４は、ＬＥＤスイッチ２０がオフの状態でもＡＣ電流が供給されるので、ＬＥＤモジュール１１および１４は発光している。
【００７２】
ＬＥＤモジュール１１〜１６の周囲の温度が下降し、１℃に達したときにバイメタル・サーモスタット２１が作動して、ＬＥＤスイッチ２０は、オン状態に切り換わる。
【００７３】
なお、この場合の１℃という温度が、本発明の第１の所定の温度の一例にあたる。
【００７４】
ＬＥＤスイッチ２０がオン状態に切り換わると、ＬＥＤモジュール１２、１３、１５および１６へＡＣ電流が供給されるようになり、消灯していたＬＥＤモジュール１２、１３、１５および１６が発光する。
【００７５】
ＬＥＤモジュール１１および１４に加えて、ＬＥＤモジュール１２、１３、１５および１６も発光する状態となるので、ＬＥＤモジュール１２、１３、１５および１６の発熱により、図６に示すように、バイメタル・サーモスタット２１部分の温度は上昇していく。
【００７６】
その後、ＬＥＤモジュール１１〜１６の周囲の温度が上昇していき、５℃まで上昇したときにバイメタル・サーモスタット２１が作動して、ＬＥＤスイッチ２０がオフ状態に戻る。
【００７７】
ＬＥＤスイッチ２０がオフ状態に戻ると、ＬＥＤモジュール１２、１３、１５および１６へのＡＣ電流の供給が無くなり、ＬＥＤモジュール１２、１３、１５および１６が消灯し、ＬＥＤモジュール１１および１４のみが発光する状態に戻る。
【００７８】
このように、ＬＥＤモジュール１１〜１６の周囲の温度が氷結する温度に近づいたときに、ＬＥＤモジュール１１〜１６の温度を上昇させて、雪や氷が発光面側に付着するのを防止できる。
【００７９】
図５および図６に示したような温度制御は、上記のようなバイメタルではなく、温度を検知して電気信号を出力する温度センサーを用いて実現してもよい。ただし、そのような温度センサーを用いる場合には、制御用の電気回路も追加する必要があり、構成が複雑になる。なお、この場合、温度センサーが本発明の温度検知ユニットにあたり、温度センサー制御用の電気回路が本発明の制御部の一例にあたる。
【００８０】
実施の形態１のように、バイメタルとスイッチを用いて温度制御を実現する構成とした場合、温度センサーを用いる場合に比べると、簡単な構成となるだけではなく、電気回路を設ける構成では雷サージの影響を受け易いのに対し、雷サージの影響も受け難くなり信頼性も向上する。
【００８１】
なお、図５に示した高温時の温度制御用のＬＥＤスイッチ２０およびバイメタル・サーモスタット２１と、図６に示した低温時の温度制御用のＬＥＤスイッチ２０およびバイメタル・サーモスタット２１の両方を備える構成とすることにより、１つのＬＥＤ照明装置で高温時および低温時の両方の温度制御を実現できる。
【００８２】
なお、図５および図６では、ＬＥＤモジュール１１〜１６毎に発光または消灯させることにより温度制御することとしたが、発光と消灯の切り替えではなく、発光する明るさを変化させて温度制御するようにしてもよい。
【００８３】
例えば、図５で説明した構成では、ＬＥＤモジュール１１、１３および１５を発光している状態から消灯させて温度を下降させたが、全てのＬＥＤモジュール１１〜１６について、明るく発光している状態から暗く発光する状態になるように減光させることにより、温度を下降させてもよい。
【００８４】
さらに、検知温度に応じて、段階的に減光させて温度制御するようにしてもよい。
【００８５】
例えば、高温時の温度制御において、温度が上昇して最初に検知温度が７５℃に達した時点で、ＬＥＤの発光を１００％から５０％に減光し、その状態でも検知温度が７５℃を超える場合には、さらに減光してＬＥＤの発光を１０％とし、それでも検知温度が７５℃を超える場合にはＬＥＤを消灯させる、などとして温度制御してもよい。
【００８６】
低温時の温度制御においても同様で、暗く発光させていたＬＥＤを明るく点灯させることにより温度を上昇させて、温度制御してもよい。
【００８７】
また、図５で説明した構成では、６つのＬＥＤモジュール１１〜１６のうち、３つのＬＥＤモジュール１１、１３および１５の発光を制御することにより温度制御したが、発光を制御するＬＥＤモジュールの数は、１つ以上いくつであってもよい。図６の低温時の温度制御においても同様に、発光を制御するＬＥＤモジュールの数は、１つ以上いくつであってもよい。
【００８８】
また、検知温度に応じて、段階的に制御するＬＥＤモジュールの数を変化させて温度制御するようにしてもよい。
【００８９】
例えば、高温時の温度制御において、温度が上昇して最初に検知温度が７５℃に達した時点で、全て発光していた６つのＬＥＤモジュール１１〜１６のうち、２つのＬＥＤモジュールを消灯させ、その状態でも検知温度が７５℃を超える場合には、さらに２つのＬＥＤモジュールを消灯させ（２つのＬＥＤモジュールが発光する状態とする）、それでも検知温度が７５℃を超える場合には、さらに２つのＬＥＤモジュールを消灯させる（１つのＬＥＤモジュールのみが発光する状態とする）、などとして温度制御してもよい。
【００９０】
また、図５において、７５℃に達するまでの温度の上昇程度によって、発光を制御するＬＥＤモジュールの数を変化させるようにしてもよい。例えば、温度の上昇変化率が大きい場合には、６つのＬＥＤモジュール１１〜１６のうち５つのＬＥＤモジュールの発光を制御し、温度の上昇変化率が小さい場合には、６つのＬＥＤモジュール１１〜１６のうち１つのＬＥＤモジュールの発光を制御する、などとしてもよい。図６の低温時の温度制御においても同様に、１℃に至るまでの温度の下降変化率に応じて、発光を制御するＬＥＤモジュールの数を変化させるようにしてもよい。
【００９１】
また、図５で説明した構成では、６つのＬＥＤモジュール１１〜１６のうち、３つのＬＥＤモジュール１１、１３および１５の発光を制御することとしたが、発光を制御する対象のＬＥＤモジュールを時系列的に交替させるようにしてもよい。
【００９２】
例えば、３つのＬＥＤモジュール１１、１３および１５の発光を制御して高温時の温度制御をして通常状態（全てのＬＥＤモジュール１１〜１６が発光する状態）に戻った後、次に７５℃まで温度が上昇したときの温度制御の際には、前回と異なる３つのＬＥＤモジュール１２、１４および１６の発光を制御するようにする。
【００９３】
このように、時系列的に発光を制御する対象のＬＥＤモジュールを変化させることにより、各ＬＥＤモジュール１１〜１６における発光および消灯する回数が均一となり、各ＬＥＤモジュール１１〜１６の耐久性を均一にすることができる。
【００９４】
なお、図２（ｃ）に示す構成では、バイメタル・サーモスタット２１を、六角形状の頂点に配置された６つのＬＥＤモジュール１１〜１６の中心の位置に１つ配置することとしたが、バイメタル・サーモスタット２１を２つ以上配置してもよく、例えば、ＬＥＤモジュール１１〜１６毎にバイメタル・サーモスタット２１を配置するようにしてもよい。
【００９５】
また、各ＬＥＤモジュール１１〜１６のより正確な温度を検知するために、バイメタル・サーモスタット２１は、各ＬＥＤモジュール１１〜１６の、より近い位置に配置するのが好ましい。
【００９６】
また、図５および図６で説明したバイメタル・サーモスタット２１の作動温度は、一例であって、これらの温度に限定されるものではない。バイメタル・サーモスタット２１の作動温度は、ＬＥＤ照明装置の装置構成や設置される周囲の環境などに応じて、適宜設定すればよい。例えば、ＬＥＤモジュールの配置構成、ジャンクション温度、設置される周囲の温度変化状況などを考慮して設定すればよい。
【００９７】
実施の形態１の、他の構成のＬＥＤ照明装置の構成を、図７（ａ）、図７（ｂ）および図８に示す。図７（ａ）には、このＬＥＤ照明装置の斜視図を、図７（ｂ）には、このＬＥＤ照明装置を天井に設置した状態において下から見た図を、図８には、正面図、底面図および側面図を、それぞれ示している。
【００９８】
このＬＥＤ照明装置は、図４（ａ）および図４（ｂ）に示したＬＥＤ光源ユニットと同じ構成のＬＥＤ光源ユニットを４つ直列状に並べる構成としたハイベイライトであり、図１〜図４と同じ構成部分には、同じ符号を用いている。
【００９９】
各ＬＥＤ光源ユニットの部分のみがＬＥＤモジュール取付板３０の一方の面側に露出し、フィン部２５の部分がＬＥＤモジュール取付板３０の反対の面側に露出するように取り付けられる。ＬＥＤモジュール取付板３０は、例えばアルミニウム製である。
【０１００】
ＬＥＤモジュール取付板３０の両端部には、第１取付部材３１が取り付けられており、天井などに固定した第２取付部材３２に第１取付部材３１がネジ止めにより固定されて、各ＬＥＤモジュール１１〜１４の発光面が下を向くように、このＬＥＤ照明装置は天井に固定される。
【０１０１】
図７（ａ）、図７（ｂ）および図８に示したＬＥＤ照明装置も、４つのＬＥＤモジュール１１〜１４を備えているので、図５および図６で説明したような温度制御を行うことができる。
【０１０２】
２つ以上のＬＥＤモジュールを備える構成の照明装置であれば、本実施の形態１の温度制御構成を適用することができる。
【０１０３】
また、予め決められたスケジュールでＬＥＤモジュールの消灯・減光制御を行っているＬＥＤ照明装置においても、そのスケジュールよりも優先して本実施の形態１の温度制御を行なわせるようにしてもよい。
【０１０４】
例えば、深夜の時間に減光するように時間的に制御されているＬＥＤ照明装置においても、氷結する温度近くまで温度が下がってきた場合には、深夜でも明るく点灯させることにより雪や氷の付着を防止することができる。
【０１０５】
これにより、ＬＥＤ照明装置の破損を防止でき、安全に運用することができる。
【０１０６】
（実施の形態２）
次に、実施の形態２において、本発明の実施の形態について説明する。
【０１０７】
図９に、本発明の実施の形態２のＬＥＤ照明装置の断面図を示す。
【０１０８】
本実施の形態２のＬＥＤ照明装置は、複数のＬＥＤモジュール４０を備えている。各ＬＥＤモジュール４０は、実施の形態１のＬＥＤモジュール１１と同様の構成であり、それぞれ複数のＬＥＤ素子４１がＣＯＢ実装された、ＡＣ電源駆動型のＬＥＤモジュールである。
【０１０９】
ＬＥＤモジュール４０は、上面側に開口部を有する本体フレーム４２内の下面に接して配置されている。本体フレーム４２は、アルミニウム製で、ＬＥＤモジュール４０で生じた熱が効率よく伝導される。
【０１１０】
本体フレーム４２の開口部周囲の内側面の縁部に接して透明なガラス板４３が設けられており、ガラス板４３によって、本体フレーム４２の開口部が閉塞されている。
【０１１１】
ＬＥＤ素子４１が発光する光は、ガラス板４３を介して外部に放射され、ＬＥＤ照明装置の正面側を照明する。
【０１１２】
なお、複数のＬＥＤモジュール４０が、本発明の複数のＬＥＤモジュールの一例にあたる。また、本体フレーム４２が、本発明の基板の一例にあたり、ガラス板４３が、本発明の透光板の一例にあたる。
【０１１３】
本体フレーム４２の下面外側には、アルミニウム製のヒートシンク４４が設けられており、ＬＥＤモジュール４０で生じた熱が、本体フレーム４２の下面部分を介してヒートシンク４４へ伝導され、放熱される。
【０１１４】
また、ＬＥＤモジュール４０の周縁部からガラス板４３の周縁部までの間の、本体フレーム４２の内壁面に放熱塗料４５が塗布されている。
【０１１５】
なお、実施の形態１のＬＥＤ照明装置と同様に、本実施の形態２のＬＥＤ照明装置も、ＬＥＤモジュール４０の温度を検出するための温度センサー４７がＬＥＤモジュール４０の近傍に設けられているが、図９では、温度センサー４７の図示を省略している。
【０１１６】
ＬＥＤ照明装置を降雪地域等の屋外に設置する場合、ガラス板４３に雪が付着すると、ＬＥＤ素子４１が発光した光が、ガラス板４３に付着した雪によって遮られてしまい、ＬＥＤ照明装置の機能を発揮できなくなってしまう。
【０１１７】
本実施の形態２のＬＥＤ照明装置は、熱伝導率の大きい放熱塗料４５が、ＬＥＤモジュール４０の周縁部からガラス板４３の周縁部に至るまで塗布されているので、ＬＥＤ素子４１の発光により生じた熱が、効率よくガラス板４３に伝導される。
【０１１８】
なお、放熱塗料４５は、ＬＥＤ素子４１が発光する光を遮らない範囲で、ガラス板４３下面の周縁部分の広い範囲に塗布されているのが望ましい。
【０１１９】
照明制御部４６は、温度センサー４７で検知された温度に基づいて、例えば、実施の形態１で説明した制御方法と同様の制御方法で、ＬＥＤスイッチ５０の切り替えによりＬＥＤモジュール４０の発光を制御する。
【０１２０】
温度センサー４７によって、ＬＥＤモジュール４０の周囲の温度が氷結する温度に近づいたことを検出したときに、ＬＥＤモジュール４０を発光させるように制御することにより、ＬＥＤ素子４１の発光により生じた高熱が、放熱塗料４５によってガラス板４３に効率よく伝導され、ガラス板４３が加熱されて、ガラス板４３に氷雪が付着することを防止できる。また、ガラス板４３に氷雪が付着していた場合でも、ガラス板４３が加熱されることによって、それらの付着している氷雪を迅速に融かすことができる。
【０１２１】
このようにして、雪の付着によってＬＥＤ照明装置が機能を発揮できない状態になることを防止できる。
【０１２２】
なお、ここでは、本発明の、ＬＥＤモジュールと透光板との間に放熱材料を形成される例として、ＬＥＤモジュール４０とガラス板４３との間に放熱塗料４５を塗布することとしたが、熱伝導率の大きい粉状物質（Ｃｕ、Ａｌ等）を、ＬＥＤモジュール４０とガラス板４３との間に散布してもよい。
【０１２３】
また、上記では、本発明の透光板の一例としてガラス板４３を用いることとしたが、可視光を透過し耐熱性を有する材料であれば、ガラス以外のものを用いてもよい。
【０１２４】
図１０（ａ）に、本実施の形態２のＬＥＤ照明装置の、ヒートシンク４４側から見た斜視図を示す。また、図１０（ｂ）に、従来の構成のヒートシンクを備えたＬＥＤ照明装置の、ヒートシンク側から見た斜視図を示す。
【０１２５】
本体フレーム４２の下面側に配置するヒートシンクとして、従来は、図１０（ｂ）に示すように板状のフィンを並列させる構成としていたのに対し、本実施の形態２のＬＥＤ照明装置では、図１０（ａ）に示すように、板状のフィンをさらに分割して、分割した幅の狭いフィン間に隙間を設ける構成としている。
【０１２６】
図１０（ｂ）に示す従来のヒートシンクの構成では、フィンの隙間を一方向にしか空気が流れないが、図１０（ａ）に示す本実施の形態２のヒートシンク４４では、一方向だけではなく、幅の狭いフィン間の隙間にも空気が流れるので、従来の構成のヒートシンクよりも効率よく放熱させることができる。
【０１２７】
また、ＬＥＤ照明装置のＬＥＤモジュールの発光制御を、検出された温度に基づく制御だけではなく、例えば、天候に関する情報などにも基づいて制御するようにしてもよい。
【０１２８】
図１１に、天候に関する情報にも基づいてＬＥＤモジュールの発光を制御する構成とした、本実施の形態２のＬＥＤ照明装置の接続構成図を示す。
【０１２９】
照明制御部４６が、ＬＥＤモジュール４０の近傍に設けられた温度センサー４７で検出される温度に基づいて、ＬＥＤスイッチ５０を切り替えて、各ＬＥＤモジュール４０の発光を制御する。
【０１３０】
このＬＥＤ照明装置は、ブルートゥースにより無線で送受信するＢＴ送受信部４８を備えている。
【０１３１】
ＢＴ送受信部４８は、インターネット５１に接続している天候情報受信装置４９から、天候に関する情報を無線で受信する。天候情報受信装置４９は、ブルートゥース通信機能を備えたパソコン等である。
【０１３２】
なお、照明制御部４６が、本発明の制御部の一例にあたり、温度センサー４７が、本発明の温度検知ユニットの一例にあたる。また、ＢＴ送受信部４８が、本発明の無線送受信回路の一例にあたる。
【０１３３】
照明制御部４６が、天候情報に応じてＬＥＤモジュール４０の発光を制御する動作の一例について、以下に説明する。
【０１３４】
天候情報受信装置４９は、インターネット５１を介して、ＬＥＤ照明装置が設置されている場所の天気予報情報を取得する。
【０１３５】
ＬＥＤ照明装置のＢＴ送受信部４８は、天候情報受信装置４９が取得した天気予報情報を、無線により天候情報受信装置４９から受信する。
【０１３６】
そして、照明制御部４６は、ＢＴ送受信部４８が受信した天気予報情報に基づいてＬＥＤモジュール４０の発光を制御する。
【０１３７】
例えば、ＬＥＤ照明装置が設置されている場所で降雪していないときでも、天気予報情報により数時間後に降雪の予報がされている場合には、ＬＥＤ照明装置のガラス板４３を予め加熱しておくために、消灯していたＬＥＤモジュール４０を発光させるように制御する。
【０１３８】
予めガラス板４３を加熱しておくことにより、その後に降雪したときに、ガラス板４３上に降雪した雪を迅速に融かすことができ、ＬＥＤモジュール４０から発光される光がガラス板４３に付着する雪によって遮られることを防止できる。
【０１３９】
このようにして、照明制御部４６は、温度センサー４７で検出される温度とともに、天気予報情報にも基づいてＬＥＤモジュール４０の発光を制御することができる。
【０１４０】
なお、照明制御部４６は、上記した天気予報情報の降雪予報に限らず、その他の天候に関する情報に基づいてＬＥＤモジュール４０の発光を制御してもよい。例えば、照明制御部４６が、天気図の情報から降雪を予測してＬＥＤモジュール４０の発光を制御するなどとしてもよい。
【０１４１】
また、上記では、ＢＴ送受信部４８が受信した天気予報情報に基づいて照明制御部４６がＬＥＤモジュール４０の発光を制御することとしたが、天候情報受信装置４９がインターネット５１から取得した天候情報に基づいてＬＥＤモジュール４０の発光状態を決定し、その決定したＬＥＤモジュール４０の発光制御情報を、ＢＴ送受信部４８へ送信するようにしてもよい。この場合、照明制御部４６は、ＢＴ送受信部４８が受信したＬＥＤモジュール４０の発光制御情報に従って、ＬＥＤスイッチ５０を制御する。
【０１４２】
なお、ＢＴ送受信部４８は、図１１に示すように、複数のＬＥＤモジュール４０に対して１つ設ける構成としてもよいし、各ＬＥＤモジュール４０毎に設ける構成としてもよい。
【０１４３】
また、本実施の形態２では、本発明の無線送受信回路としてＢＴ送受信部４８を用いることとしたが、無線通信ができる回路であれば、ＢＴ送受信部４８以外の無線ＬＡＮ送受信回路などを用いてもよい。
【産業上の利用可能性】
【０１４４】
本発明に係る融雪機能付きＬＥＤ照明装置は、従来よりも簡単で安価な構造で発光面側に付着した氷雪を迅速に融かすことができる効果を有し、屋外や屋内を照明するＬＥＤ照明装置等として有用である。
【符号の説明】
【０１４５】
１１〜１６  ＬＥＤモジュール
２０  ＬＥＤスイッチ
２１  バイメタル・サーモスタット
２２  端子台
２３  セード
２４  フック
２５  フィン部
２６  放熱板
２７  ＬＥＤモジュール基板
２８  配線
２９  ＬＥＤ光源ユニット固定穴
３０  ＬＥＤモジュール取付板
３１  第１取付部材
３２  第２取付部材
４０  ＬＥＤモジュール
４１  ＬＥＤ素子
４２  本体フレーム
４３  ガラス板
４４  ヒートシンク
４５  放熱塗料
４６  照明制御部
４７  温度センサー
４８  ＢＴ送受信部
４９  天候情報受信装置
５０  ＬＥＤスイッチ
５１  インターネット
【要約】
【課題】降雪地域等の屋外に設置される場合、発光面側に付着した雪を融かすためにヒーター等を設ける必要があった。
【解決手段】複数のＬＥＤモジュール４０と、ＬＥＤモジュールが取り付けられた基板４２と、ＬＥＤモジュールの近傍に配置され、温度を検出する温度検知ユニット４７と、温度検知ユニットで検知された温度に基づいてＬＥＤモジュールを制御する制御部４６と、ＬＥＤモジュールの発光面側に設けられ、ＬＥＤモジュールの光を透過する透光板４３とを備える。ＬＥＤモジュールと透光板との間には放熱材料４５が形成されており、制御部は、温度が第１の所定の温度以下になったことを検知すると、消灯していたＬＥＤモジュールのうち少なくとも１つのＬＥＤモジュールが点灯され、又は、減光されて点灯していたＬＥＤモジュールのうち少なくとも１つのＬＥＤモジュールがより明るく点灯されて、ＬＥＤモジュールの温度が上昇する、ように制御する。
【選択図】図９【図１】
0005392589.tif 000002
【図３】
0005392589.tif 000003
【図４】
0005392589.tif 000004
【図５】
0005392589.tif 000005
【図６】
0005392589.tif 000006
【図２】
0005392589.tif 000007
【図７】
0005392589.tif 000008
【図８】
0005392589.tif 000009
【図９】
0005392589.tif 000010
【図１０】
0005392589.tif 000011
【図１１】
0005392589.tif 000012
【図１２】
0005392589.tif 000013